(57)【要約】【課題】  ゴルフをプレイする場合に、プレイヤーが持ち運ばなければならない最低限必要な小物が多く、ポケット等に入れていてもバラバラでまとまらず、素早く必要な物を出せない場合があり、また、プレイヤーより、腰痛や膝が悪い場合や、女性ゴルファーのファッション等で、ゴルフボールを拾う場合の補足具等も持ち運ぶ場合は、より小物が多くなるという課題があった。【解決手段】  ロングティやショートティ、マーカーを１つに収納し、その形状により、グリーンホークやゴルフボール捕捉具とも使用可能で、使用したい物を素早く出す事ができる上、ゴルフクラブのグリップに装着する事により、立ったままゴルフボールを拾う事やグリーン上のボールマークの修繕も可能で、使用しない場合は、ゴルフボールを入れてボールホルダーとしても使用できる多機能ゴルフボール捕捉具である。【選択図】図３
2018068999.tif 000002
【特許請求の範囲】
【請求項１】
ゴルフクラブのグリップの端部の穴に装着して使用され、ゴルフプレイヤーがゴルフボールを拾い上げる際や、ボールマークの修繕の際に、腰や膝への負担を軽減させ立ったまま使用可能な上、ゴルフ用品の小物、ロングティやショートティ、グリーンホークやマーカーを探す事なく整理し、一体化させたゴルフ用品として使用できると共に、捕捉具として使用しない場合は、ボールホルダーとしても使用できる多機能ゴルフボール捕捉具である。
【発明の詳細な説明】
【技術分野】
【０００１】  本発明は、ゴルフプレイに必要な小物をまとめたゴルフボール捕捉具に関する。
【背景技術】
【０００２】  本発明は、ゴルフボールを拾い上げるだけではなく、ゴルフプレイに最低限必要な小物（ロングティ・ショートティ・ボールホルダー・グリーンホーク・ボールマーカー）が一体化しており、プレイヤーのポケットに入れ持ち運べ、ゴルフクラブのグリップに装着した場合は、立ったままゴルフボールを捕捉し、またボールマークの修繕ができる用品である。
【発明が解決しようとする課題】
【０００３】  ゴルフをプレイする場合に、プレイヤーが持ち運ばなければならない最低限必要な小物が多く、ポケット等に入れていてもバラバラでまとまらず、素早く必要な物を出せない場合があり、また、プレイヤーより、腰痛や膝が悪い場合や、女性ゴルファーのファッション等で、ゴルフボールを拾う場合の補足具等も持ち運ぶ場合は、より小物が多くなるという課題があった。
【課題を解決するための手段】
【０００４】  本発明は、ロングティやショートティ、マーカーを１つに収納し、その形状により、グリーンホークやゴルフボール捕捉具とも使用可能で、使用したい物を素早く出す事ができる上、ゴルフクラブのグリップに装着する事により、立ったままゴルフボールを拾う事やグリーン上のボールマークの修繕も可能で、使用しない場合は、ゴルフボールを入れてボールホルダーとしても使用できる多機能ゴルフボール捕捉具にする事により、課題を解決する。
【発明の効果】
【０００５】  本発明は、ゴルフボールをプレイヤーが拾いたい時点で、ゴルフクラブのグリップ部分に簡単に装着するだけで、グリーン上だけではなく、池、ＯＢの斜面、ブッシュ、練習場などどこでもクラブを限定する事なく、その時にプレイヤーが手に持っているゴルフクラブで（グリップの形状やメーカーに関係なく）使用可能になる。
【０００６】  本発明は、腰痛等でかがみにくい方の痛み軽減だけでなく、女性ゴルファーがファッションを気にせずゴルフボールを捕捉でき、グリーンホーク（ロングティの部分をグリーンホークとして使用する）も同様に立ったまま使用可能な上、ゴルフプレイヤーが必要な小物が全て一体化しているので、ポケットに１つ入れておくだけで、小物を探し回る事がない
【０００７】  本発明は、プレイヤーがプレイ中、ボールを打つ時（パッティング以外）に使用する事がないので、ゴルフのプレイ規約に反する行為等になることがなく、万が一パター時に装着したままプレイしても場合により、ボールを拾う為の用品の場合はプレイ規定に反する事がない。（パッティングする時に手を固定する用品は不可）その為、形体が長方形でパッティングの際、手に当たる事が無くボールの視界を邪魔する事がないので、装着し使用する事もできる。
【図面の簡単な説明】
【０００８】  図１は、本発明の横から見た平面図【０００９】  図２は、本発明を上から見た平面図【００１０】  図３は、本発明をゴルフクラブのグリップに取り付けゴルフボールを拾い上げた場合を横から見た平面図【００１１】  図４は、本発明をゴルフクラブのグリップに取り付けゴルフボールを拾い上げた場合を縦から見た平面図【００１２】  写真は、小物を収納する場合の色々な方法の一部
【発明の利用可能性】
【００１３】  本発明は、従来のゴルフボール捕捉具ではなく、ティやマーカー及びグリーンホークなどの用品が一緒になっており、プレイヤーのポケットに収まる事で、小物を探す時間の短縮になり、ＯＢボール等を捕捉したい場合等は、プレイヤーが手に持っているゴルフクラブで使用できる上、立ったままでボールマークの修繕が可能で、カップインしたゴルフボールを拾い上げる際にも腰や膝を曲げる事なく、素早く使用できる事によりプレイ時間の短縮や、ゴルフマナーの向上が期待でき利用可能性があります。
【符号の説明】
【００１４】１０      ゴルフボール
２０      ゴルフクラブのグリップ
１００    ロングティ
２００    ショートティ
３００    マーカー
【図１】
2018068999.tif 000003
【図２】
2018068999.tif 000004
【図３】
2018068999.tif 000005
【図４】
2018068999.tif 000006
【手続補正書】
【提出日】平成29年10月16日(2017.10.16)
【手続補正１】
【補正対象書類名】特許請求の範囲
【補正対象項目名】請求項１
【補正方法】変更
【補正の内容】
【請求項１】
ゴルフクラブのグリップの端部の穴に装着して使用され、ゴルフプレイヤーがゴルフボールを拾い上げる際や、ボールマークの修繕の際に、腰や膝への負担を軽減させ立ったまま使用可能な多機能ゴルフボール捕捉具であって、
底壁及び２つの側壁を有しており、
前記底壁に、ティを貫通させて固定するための固定部が設けられており、当該個定部に固定されたティによってゴルフクラブのグリップの端部の穴に装着され、
前記側壁の一方に、マーカーを固定するための固定部が設けられ、前記側壁の他方にティを貫通させて固定するための２箇所の固定部が設けられており、当該２箇所の固定部にティが固定された状態でグリーンホークとしても使用でき、
ゴルフボール捕捉具として使用しない場合は、ゴルフボールホルダーとしても使用できる、
多機能ゴルフボール捕捉具。
【手続補正２】
【補正対象書類名】明細書
【補正対象項目名】０００４
【補正方法】変更
【補正の内容】
【０００４】ゴルフクラブのグリップの端部の穴に装着して使用され、ゴルフプレイヤーがゴルフボールを拾い上げる際や、ボールマークの修繕の際に、腰や膝への負担を軽減させ立ったまま使用可能な多機能ゴルフボール捕捉具であって、
底壁及び２つの側壁を有しており、
前記底壁に、ティを貫通させて固定するための固定部が設けられており、当該個定部に固定されたティによってゴルフクラブのグリップの端部の穴に装着され、
前記側壁の一方に、マーカーを固定するための固定部が設けられ、前記側壁の他方にティを貫通させて固定するための２箇所の固定部が設けられており、当該２箇所の固定部にティが固定された状態でグリーンホークとしても使用でき、
ゴルフボール捕捉具として使用しない場合は、ゴルフボールホルダーとしても使用できる、多機能ゴルフボール捕捉具であり、捕捉具に使用するティはプレイヤ―の好みによりショートティやロングティが使用可能である。